(57)【要約】【課題】密閉タイプの温水ボイラーにおいて、温水循環ポンプのエアロックや熱源部の空焚き等の問題の発生を予防することができると共に装置の構造及び施工が簡単になる温水ボイラーを提供する。【解決手段】縦型の缶体２内にヒータ３を立設して有する温水ボイラー１において、前記缶体２の上部に該缶体２と一体に形成されているエアタンク室４を有し、該エアタンク室４にエア抜き手段２ｊを設けると共に該エアタンク室４のタンク容量の半分に相当する高さの位置に水位センサー２ｈを設けて、該水位センサー２ｈが作動したときに警報手段２ｋが「注意」の音を発したり又は「注意」の表示をするようにした。【選択図】図１
2010175156.tif 000002
【特許請求の範囲】
【請求項１】
縦型の缶体内にヒータを立設して有する温水ボイラーにおいて、前記缶体内の上部にエアタンク室を形成して、該エアタンク室を缶体と一体化すると共に、該エアタンク室にエア抜き手段を設けた温水ボイラー。
【請求項２】
前記缶体の側壁部で前記エアタンク室が占める上下方向の個所の中間位置に水位センサーを設けると共に該水位センサーに警報手段を接続した請求項１に記載の温水ボイラー。
【発明の詳細な説明】
【技術分野】
【０００１】
本発明は温水暖房等に用いられる温水ボイラーに関する。
【背景技術】
【０００２】
この種の温水ボイラーとして、缶体内に電気ヒータを設置して電熱により水を加熱する電気温水ボイラーが知られている（例えば特許文献１参照。）。
【０００３】
この様な暖房用の温水ボイラーには、水の入れ替えの必要が無く、機器の耐久性にも優れていることから密閉タイプのものが多く使われている。
【先行技術文献】
【特許文献】
【０００４】
【特許文献１】特開２００８−２５６３１７号公報
【発明の概要】
【発明が解決しようとする課題】
【０００５】
前記の密閉タイプの温水ボイラーを使用するときは、初めに水張りを行なって、システム内のエア抜きを行なうようにしていた。
【０００６】
しかし、ボイラーで水を加熱すると、水中に含まれているエアが分離をしてエア溜りが作られ、その結果、温水循環ポンプのエアロックによる停止や熱源部の空焚きにより過熱防止装置が作動して運転が停止するという問題が発生した。
【０００７】
このためエア溜りを保持するためのタンクを缶体の外部に設けて、修復のための緊急出動を回避するようにした例があるが、これはエアタンクをボイラー缶体の外部に設置しているので、当該装置の構造及び装置の施工が複雑化するという問題点もあった。
【０００８】
本発明はこれらの問題点を解消し、温水循環ポンプのエアロックや熱源部の空焚き等の発生を予防することができると共に装置の構造及び装置の施工が簡単になる温水ボイラーを提供することを目的とする。
【課題を解決するための手段】
【０００９】
本発明は上記の目的を達成すべく、縦型の缶体内にヒータを立設して有する温水ボイラーにおいて、前記缶体内の上部にエアタンク室を形成して、該エアタンク室を缶体と一体化すると共に、該エアタンク室にエア抜き手段を設けた。
【発明の効果】
【００１０】
本発明の効果として、密閉式の温水ボイラーに起こり勝ちのエアロックの発生がなくなり、空焚きの発生を予防することができると共に装置の構造及び該装置の施工が簡単になる温水ボイラーを提供できる。
【図面の簡単な説明】
【００１１】
【図１】本発明の実施例１の温水ボイラーの構造を示す説明図である。
【発明を実施するための形態】
【００１２】
本発明を実施するための形態の実施例を以下に示す。
【実施例１】
【００１３】
図１は本実施例の温水ボイラー１の構造を示す説明図である。
【００１４】
即ち温水ボイラー１は内部に電熱式のヒータ３を有する縦長の円筒状で有底且つ有蓋の密閉の縦型の缶体２からなり、該缶体２内の上部にエアタンク室４を形成した。
【００１５】
前記ヒータ３は前記缶体２の底板２ｂ上に該缶体２内の中心線に沿って縦長に立設されている。
【００１６】
ここで、該缶体２の底板２ｂの径を大にすると共に前記エアタンク室４に相当する部分の上下方向の長さを大にして該エアタンク室４の容積を大にした。
【００１７】
前記ヒータ３は、電熱線を封入した複数のシーズヒータからなり、その頂部が前記缶体２内のボイラー水の最底許容液面２ａ即ちエアタンク室４の最下位置よりも下方になるように設置されている。
【００１８】
２ｃは温水の吐出管、２ｄは温水の戻り管で、該吐出管２ｃは前記最底許容液面２ａよりも少許下方の前記缶体２の側面部に接続されており、又、前記戻り管２ｄは前記缶体２の底面近くの側面部に接続されており、これら吐出管２ｃと戻り管２ｄは放熱器５に接続されている。
【００１９】
又、２ｅは前記吐出管２ｃに介在し前記ボイラー水を送り出すポンプ、２ｆはこれら吐出管２ｃと戻り管２ｄとの間を接続したバイパス管、２ｇは該バイパス管２ｆに介在したバイパスバルブを示し、温水ボイラー１の運転中に放熱器５が所定温度に達したとき、温水ボイラー１からの温水を前記バイパス管２ｆを経由して循環するようにしている。
【００２０】
更に、２ｈは第１水位センサーで、前記エアタンク室４の容量の略半分に相当する高さの位置の缶体２の側面部に取付けられ、該第１水位センサー２ｈには警報手段である警報器２ｋが接続されており、前記エアタンク室４内の水位（即ち缶体２内の水位）が該第１水位センサー２ｈの位置よりも低下すると、該第１水位センサー２ｈが作動し、前記警報器２ｋにより「注意」の音を発したり又は「注意」の表示をして、ボイラー管理者に水位低下を知らせるようにしている。
【００２１】
２ｍは第２水位センサーで、前記最底許容液面２ａの位置の前記缶体２の側面部に設けられていると共に、前記警報器２ｋに接続され、前記エアタンク室４内の水位が前記最底許容液面２ａに至ると、前記第２水位センサー２ｍが作動し、前記警報器２ｋより「警告」の音を発したり又は「警告」の表示をするようにした。
【００２２】
又、２ｊは前記エアタンク室４内に溜まったエアを抜くためのエア抜き手段であるエア排出弁を示す。
【００２３】
尚、エアタンク室４の容量は、缶体２の全容量の６分の１程度の大きな役割を占めるようにした。
【００２４】
次に本実施例の温水ボイラー１の作動及びその効果について説明する。
【００２５】
温水ボイラー１は３５〜８０℃程度の温水を用いる暖房システム等に用いられる。
【００２６】
暖房システムは密閉タイプなので、始動時にはシステム内に水張りをして、空気抜きを実施しながら、該システム内を水で満たす。
【００２７】
その後温水ボイラー１を運転し、缶体２内において水がヒータ３により加熱されると、該水中に含まれていたエアが浮上分離し缶体２内の上部のエアタンク室４に溜まってくる。
【００２８】
この溜まったエア圧によってエアタンク室４内の液面が押し下げられるが、該液面の水位が第１水位センサー２ｈの位置よりも低下すると、該第１水位センサー２ｈが作動し、警報器２ｋより「注意」の音を発したり又は「注意」の表示をしてボイラー管理者に知らせる。
【００２９】
ここで、前記エアタンク室４は充分大きな容量を有し、しかも前記警報器２ｋより「注意」の発信後もエアタンク室４内の水の液面が低下して第２水位センサー２ｍが作動し警報器２ｋより「警告」が発信され、その後ヒータ３が前記液面上に露出するようになるまでには充分な時間的余裕を有しているので、ボイラー管理者がメンテナンス業者に連絡し、メンテナンス業者は余裕をもってエアー抜きを実施して、液面の更なる低下を防止してヒータ３の頭部が露出しないようにし、熱源部の空焚き等の発生を防止する。
【００３０】
又、前記エアタンク室４を缶体２内の一部に一体形成しているので、エアタンクを缶体の外部に設置する必要がなく、構造が簡単になると共に施工も簡単になる。
【産業上の利用可能性】
【００３１】
本発明は温水暖房、空気調和関係に利用される。
【符号の説明】
【００３２】
１      温水ボイラー
２      缶体
２ｈ    水位センサー
２ｊ    エア抜き手段（エア排出弁）
２ｋ    警報手段
３      ヒータ
４      エアタンク室
【図１】
2010175156.tif 000003